(57)【要約】【課題】機体が揺れた際等には、適宜、強く突っ張ることで操作姿勢を保つことができるとともに、疲労の少ない楽な姿勢で操向操作具の操作ができる農作業機が装備する運転部の足載部を提供すること。【解決手段】運転部の床部上に、操向操作具を設けたフロントコラムと運転席を前後方向に間隔をあけて配設し、フロントコラムには、運転席の座面高さと同等の高さに位置させて足載部を設け、足載部には、運転席に着座したオペレータが前方へ投げ出した足を載せることができるようにした。【選択図】図３
2017070220.tif 000002
【特許請求の範囲】
【請求項１】
運転部の床部上に、操向操作具を設けたフロントコラムと運転席を前後方向に間隔をあけて配設し、
フロントコラムには、運転席の座面高さと同等の高さに位置させて足載部を設け、足載部には、運転席に着座したオペレータが前方へ投げ出した足を載せることができるようにした農作業機が装備する運転部の足載部。
【請求項２】
足載部は、フロントコラムの後壁に、前方に凹状の足載せ空間を形成して、足載せ空間内に前方へ投げ出したオペレータの足を収容・配置できるようにした請求項１記載の農作業機が装備する運転部の足載部。
【請求項３】
足載部は、フロントコラムの側壁に、外側方へ張り出し状態となした使用姿勢と、折り畳み収納状態となした不使用姿勢と、の間で姿勢変更可能に取り付けた請求項１又は２記載の農作業機が装備する運転部の足載部。
【発明の詳細な説明】
【技術分野】
【０００１】
本発明は、農作業機が装備する運転部の足載部、詳しくは、運転部に着座したオペレータが足を載せる足載部を設けた農作業機に関する。
【背景技術】
【０００２】
従来、農作業機が装備する運転部の足載部の一形態として、特許文献1に開示されたものある。すなわち、特許文献1には、燃料給油口に臨む床部上に、燃料給油口を覆うカバーを装着し、カバーの上面を、機体前方から後方に向けて低くなるように傾斜させて、足載部としての足載せ台とした構造が開示されている。
【先行技術文献】
【特許文献】
【０００３】
【特許文献１】特許第３４１５１２５号公報
【発明の概要】
【発明が解決しようとする課題】
【０００４】
ところが、機体が揺れた際等に、オペレータが足載せ台に足を載せたまま突っ張ったとしても、足載せ台としたカバーは、燃料給油口に臨む床部上に配設されており、床部側には強く突っ張ることができないことから、操作姿勢を保つことが困難な場合がある。また、足を床部に着けたまま操向操作姿勢を長時間保っていると疲労し易いので、足を前方へ投げ出すようにして、疲労の少ない楽な姿勢で操向操作具の操作ができることが望まれている。
【０００５】
そこで、本発明は、機体が揺れた際等には、適宜、足を強く突っ張ることで操作姿勢を保つことも、また、疲労の少ない楽な姿勢で操向操作具を操作することもできる農作業機が装備する運転部の足載部を提供することを目的とする。
【課題を解決するための手段】
【０００６】
請求項１記載の発明は、
運転部の床部上に、操向操作具を設けたフロントコラムと運転席を前後方向に間隔をあけて配設し、
フロントコラムには、運転席の座面高さと同等の高さに位置させて足載部を設け、足載部には、運転席に着座したオペレータが前方へ投げ出した足を載せることができるようにしている。
【０００７】
請求項１記載の発明では、フロントコラムに、運転席の座面高さと同等の高さに位置させて足載部を設け、足載部には、運転席に着座したオペレータが前方へ投げ出した足を載せることができるようにしているため、機体が揺れた際等には、適宜、足載部に載せた足を強く突っ張ることで操作姿勢を保つことができるとともに、足を前方へ投げ出した疲労の少ない楽な姿勢で操向操作具の操作ができる。そのため、長時間にわたる農作業であっても、疲労の少ない楽な操向操作姿勢を長時間にわたって保持させることができる。
【０００８】
請求項２記載の発明は、請求項１記載の発明であって、
足載部は、フロントコラムの上部に、前方に凹状の足載せ空間を形成して、足載せ空間内に前方へ投げ出したオペレータの足の一部を収容・配置できるようにしている。
【０００９】
請求項２記載の発明では、フロントコラムの上部に、前方に凹状の足載せ空間を形成して、足載せ空間内に前方へ投げ出したオペレータの足の一部を収容・配置できるように足載部を構成しているため、オペレータは、足載部に前方へ投げ出した足の一部を収容・配置することで、適宜、足を強く突っ張ることも、また、長時間にわたって疲労の少ない楽な姿勢で操向操作具を操作することもできる。
【００１０】
請求項３記載の発明は、請求項１又は２記載の発明であって、
足載部は、フロントコラムの側壁に、外側方へ張り出し状態となした使用姿勢と、折り畳み収納状態となした不使用姿勢と、の間で姿勢変更可能に取り付けている。
【００１１】
請求項３記載の発明では、フロントコラムの側壁に、外側方へ張り出し状態となした使用姿勢と、折り畳み収納状態となした不使用姿勢と、の間で足載部を姿勢変更可能に取り付けているため、足載部に足を載せたい場合には、足載部を外側方へ張り出し状態となした使用姿勢となして、使用姿勢の足載部の上に足を載せることができる。そして、足載部に前方へ投げ出した足を載せることで、適宜、足を強く突っ張ることも、また、長時間にわたって疲労の少ない楽な姿勢で操向操作具を操作することもできる。また、足載部に足を載せる必要がない場合には、足載部を折り畳み収納状態となした不使用姿勢となすことで、足載部が不用意に他物と干渉するのを回避することができる。
【発明の効果】
【００１２】
本発明によれば、フロントコラムに、運転席の座面高さと同等の高さに位置させて足載部を設け、足載部には、運転席に着座したオペレータが前方へ投げ出した足を載せることができるようにしているため、足を前方へ投げ出すようにして、足載部に足を強く突っ張ることで操作姿勢を保つことも、また、疲労の少ない楽な姿勢で操向操作具を操作することもできる。
【図面の簡単な説明】
【００１３】
【図１】本実施形態を示すコンバインの左側面図。
【図２】本実施形態を示すコンバインの右側面図。
【図３】第１実施形態の足載部を備えた運転部の拡大説明右側面図。
【図４】第１実施形態の足載部を備えた運転部の拡大説明平面図。
【図５】第１実施形態の足載部を備えた運転部の拡大斜視説明図。
【図６】第１実施形態の足載部を備えたフロントコラムの拡大説明背面図。
【図７】第２実施形態の足載部を備えたフロントコラムの拡大説明背面図。
【図８】第３実施形態の足載部を備えたフロントコラムの拡大説明背面図。
【発明を実施するための形態】
【００１４】
以下に、本発明の実施形態を、図面を参照しながら説明する。図１及び図２に示すＡは、本実施形態に係る普通型コンバイン（以下、単に「コンバイン」と略称する）であり、コンバインＡは、運転部１５を装備し、運転部１５に左・右側足載部１１０,１２０を設けている。
【００１５】
［コンバインの概略的全体説明］
コンバインＡは、自走可能な走行機体１の前端部に、刈取部２を昇降自在に取り付けている。そして、刈取部２は、立ち毛の穀稈の中途部から穂先側部を刈り取る主刈刃装置３と、主刈刃装置３により穂先側部が刈り取られた立ち毛の残稈を株元部から刈り取る副刈刃装置４と、を具備している。
【００１６】
走行機体１は、図１及び図２に示すように、左右一対の走行部１０,１０間に機体フレーム１１を架設している。そして、機体フレーム１１上の左側部には、刈り取られた穀稈の穂先側部を脱穀する脱穀部１２と、脱穀された穀粒を選別する選別部１３を上下段に配設し、これらの後方に藁屑等を機外である圃場へ排出する排塵口部１４を後方へ向けて開口させている。また、機体フレーム１１上の右側部には、前部に運転操作を行う運転部１５を配設し、その後方に選別部１３で選別された穀粒（清粒）を貯留する穀粒貯留部１６を配設して、最後部に穀粒貯留部１６に貯留された穀粒を機外に搬出する穀粒搬出部１７を設けている。運転部１５の後部の下方には、動力源となる原動機部の一部としてのエンジン１８等を配設している。１９は、塵や埃による原動機部の一部としてのラジエターの目詰まりを防ぎ、冷却性能を維持するロータリスクリーンである。
【００１７】
刈取部２は、前後方向に軸線を向けた四角形筒状のフィーダハウス２０と、フィーダハウス２０の前端に連通連設した横長バケット状の穀物ヘッダー２１と、穀物ヘッダー２１の前下端縁部に配設したバリカン状の主刈刃装置３と、穀物ヘッダー２１の前左右側部から前方へ延出させて形成した左右一対の分草体２２,２２と、穀物ヘッダー２１の前上方に配設した掻込みリール２３とを備えている。
【００１８】
フィーダハウス２０の後端部は、脱穀部１２の前部に左右方向の軸線を向けた刈取入力軸６５（フィーダハウスコンベア軸）を枢支し、フィーダハウス２０の下面部と機体フレーム１１の前端部との間に昇降用シリンダ（図示せず）を介設して、昇降用油圧シリンダを伸縮作動させることにより、刈取入力軸６５を昇降支点として、刈取部２を昇降可能としている。
【００１９】
また、刈取部２は、副刈刃装置４を備えており、副刈刃装置４は、主刈刃装置３と同様にバリカン状に構成して、機体フレーム１１の前端部に前下方へ垂下させて取り付けることで、主刈刃装置３の後方に配設している。フィーダハウス２０内には、供給コンベア２５を配設し、穀物ヘッダー２１内には、掻込みオーガ２６（プラットホームオーガ）を左右方向の軸線廻りに回転可能に軸架している。掻込みリール２３は、左右方向の軸線廻りに回転可能に軸架されて、立ち毛の穀稈の穂先部に回転しながら連続的に掻込みオーガ２６側へ掻込作用するようにしている。
【００２０】
上記した各部の作動部は、後述する各連動機構を介してエンジン１８に連動連結して、適宜作動するように構成している。
【００２１】
このように構成したコンバインＡでは、圃場において、刈取部２を所望の地上高（立ち毛の穀稈の刈取位置）となるまで上昇させ、その状態で走行機体１を走行させる。こうすることで、立ち毛の穀稈を分草体２２,２２により分草して、分草した穀稈の穂先部を掻込みリール２３により掻き込みながら主刈刃装置３により穀稈の中途部から穂先側部を刈り取る。所望の刈取位置で刈り取られた穀稈の穂先側部は、掻込みオーガ２６により穀物ヘッダー２１内に掻込まれるとともに、供給コンベア２５によりフィーダハウス２０内を通して脱穀部１２に供給される。脱穀部１２に供給された穀稈の穂先側部は、脱穀部１２により脱穀処理されるとともに、脱穀部１２で脱穀処理された穀粒は、選別部１３により選別処理される。選別部１３で選別処理された穀粒（清粒）は穀粒貯留部１６に貯留される。穀粒貯留部１６に貯留されている穀粒は、適宜、穀粒搬出部１７により機外に搬出される。そして、脱穀部１２で穀粒と分離処理された藁屑等は、排塵口部１４から機外である圃場へ排出される。また、穂先側部が刈り取られた残稈は、副刈刃装置４により株元部から刈られて、圃場に残置される。
【００２２】
（運転部の説明）
運転部１５には、図１及び図２に示すように、前半部に床部８３を張設し、後半部に運転席支持台８４（図３及び図５参照）を配設している。床部８３の前部には、運転部１５の前面を被覆する操作コラムとしてのフロントコラム８５を起立状に立設している。フロントコラム８５は、図３〜図６に示すように、四角形板板状に形成した前壁部８６と、縦長四角形板状に形成した左・右側壁部８７,８８とから平面視門型に形成している。これら壁部８６,８７,８８の上端部には、フロント天端面部８９を張設している。フロント天端面部８９の右側部には、走行機体１の進路を変更操作する棒状の操作レバー（サイドクラッチレバー）９０を起立状に立設している。フロント天端面部８９の左側部には、スイッチ群９１を配置している。左・右側壁部８７,８８の上部間には、背面視門型のガイドフレーム９２を架設している。ガイドフレーム９２は、操作レバー９０の背後で、操作レバー９０の上端部よりも低位置に配置している。
【００２３】
床部８３の左側部には、操作コラムとしてのサイドコラム９３を起立状に立設している。サイドコラム９３は、フロントコラム８５と同一高さで、フロントコラム８５の左側端部から後述する運転席９９の左側方に至るまで前後方向に延伸させて形成している。サイドコラム９３の上端部には、サイド天端面部９４を張設している。サイド天端面部９４は、フロント天端面部８９と略面一状に形成している。サイド天端面部９４には、前部左右側に並列しかつ前後方向に延伸する前左側レバーガイド孔９５と前右側レバーガイド孔９６を形成して、前左側レバーガイド孔９５中を通して副変速レバー９８を起立状に突出させる一方、前右側レバーガイド孔９６中を通して主変速レバー９７を起立状に突出させている。また、サイド天端面部９４には、後部左右側に並列しかつ前後方向に延伸する後左・右側レバーガイド孔１００,１０２を介して、刈取・脱穀クラッチレバー１０４,１０６を起立状に突出させている。１０８は、床部８３の左側前部に配設したブレーキペダルである。
【００２４】
運転席支持台８４の上には、オペレータＯｐが着座する運転席９９を配置している。つまり、フロントコラム８５と運転席９９は、前後方向に間隔をあけて配設している。運転席９９に着座したオペレータＯｐは、右手ＨＲで操作レバー９０の上端部を把持して、操作レバー９０を左右方向に傾動操作することで、走行機体１を操向操作可能としている。
【００２５】
このように構成して、運転席９９に着座したオペレータＯｐは、左手ＨＬで主変速レバー９７ないしは副変速レバー９８の上端部を把持して、前左・右側レバーガイド孔９５,９６に沿わせて前後方向に傾動操作することで、走行機体１を変速操作可能としている。また、左手ＨＬで刈取クラッチレバー１０４ないしは脱穀クラッチレバー１０６の上端部を把持して、後左・右側レバーガイド孔１００,１０２に沿わせて前後方向に傾動操作することで、刈取部２ないしは脱穀部１２への動力伝達路を接続・切断可能としている。
【００２６】
［本実施形態の特徴的構成の説明］
次に、上記のように構成した本実施形態に係るコンバインＡにおける特徴的な構成について、図３〜図８を参照しながら説明する。ここで、図３〜図６は、第１実施形態としての左・右側足載部１１０,１２０を示しており、図７は、第２実施形態の棒状足載部１４０を示しており、図８は、第３実施形態の膝規制型足載部１５０を示している。
【００２７】
（第１実施形態としての足載部についての説明）
フロントコラム８５には、図３〜図６に示すように、運転席９９の座面高さと同等の高さないしは座面高さの近傍に位置させて左・右側足載部１１０,１２０を設けている。そして、左側足載部１１０には、運転席９９に着座したオペレータＯｐが前方へ投げ出した左足ＦＬを載せることができるようにしている。一方、右側足載部１２０には、運転席９９に着座したオペレータＯｐが前方へ投げ出した右足ＦＲを載せることができるようにしている。
【００２８】
このように構成することで、機体が揺れた際等には、適宜、左・右側足載部１１０,１２０のいずれか一方に載せた左足ＦＬ（右足ＦＲ）を強く突っ張ることで操作姿勢を保つことができるとともに、左足ＦＬ（右足ＦＲ）を前方へ投げ出した疲労の少ない楽な姿勢で操向操作具の操作ができる。そのため、長時間にわたる農作業であっても、疲労の少ない楽な操向操作姿勢を長時間にわたって保持させることができる。
【００２９】
左側足載部１１０は、フロントコラム８５の上部に、前方に凹状の足載せ空間Ｓを形成して、足載せ空間Ｓ内に前方へ投げ出したオペレータＯｐの左足ＦＬの一部である爪先側半部を収容・配置できるようにしている。すなわち、左側足載部１１０は、それぞれ四角形板状に形成した水平面部１１２と垂直面部１１４とにより背面視逆Ｌ字状に折曲させて形成している。水平面部１１２は、フロントコラム８５の左側壁部８７の内側面上部に左側縁部を取り付けて、水平横臥状に配置している。ここで、水平面部１１２は、運転席９９の座面の高さと略同一高さに配置している。垂直面部１１４は、水平面部１１２の右側縁部に下端縁部を接続し、フロント天端面部８９の下面左側部に上端縁部を取り付けて、垂直起立状に配置している。
【００３０】
このように構成した左側足載部１１０は、フロントコラム８５内の左側上部（隅部）に配設することで、フロントコラム８５の内面と左側足載部１１０の内面とにより後方が開口した足載せ空間Ｓを形成している。そして、水平面部１１２の後端縁部には、オペレータＯｐの左足ＦＬの裏面側を掛けるように載置可能としている。オペレータＯｐは、左側足載部１１０に前方へ投げ出した左足ＦＬの裏面側を掛けることで、適宜、左足ＦＬを強く突っ張ることも、また、長時間にわたって疲労の少ない楽な姿勢で各種レバーを操作することもできる。この際、足載せ空間Ｓ内には、前方へ投げ出したオペレータＯｐの左足ＦＬの一部である爪先側半部が収容・配置されて、爪先側半部が保護される。
【００３１】
右側足載部１２０は、フロントコラム８５の右側壁部８８に、外側方へ張り出し状態となした使用姿勢（ａ）と、折り畳み収納状態となした不使用姿勢（ｂ）と、の間で姿勢変更可能に取り付けている。
【００３２】
すなわち、右側足載部１２０は、足載本体１２２と支持体１２４とを具備している。足載本体１２２は、左右横長で扁平かつ下方が開口するキャップ状に形成して、フロントコラム８５の右側壁部８８の上部に、前後方向に枢支軸線を向けた枢支部１２６を介して左側縁部を枢支し、右側部側を水平に張り出した位置と、鉛直下方に垂下させた位置と、の間で回動自在としている。
【００３３】
支持体１２４は、棒状の前・後支持片１３０,１３２と、両支持片１３０,１３２の先端部間に横架した先端支持片１３４と、により側面視門型に形成している。フロントコラム８５の右側壁部８８の中途部には、枢支ブラケット１２８を介して前・後支持片１３０,１３２の基端部を枢支連結して、先端支持片１３４側を上下回動自在としている。
【００３４】
そして、キャップ状に形成した足載本体１２２を水平張り出し状態となすとともに、この右側縁部に先端支持片１３４を下方から係合させることで、水平張り出し状態に支持させることができる。つまり、右側足載部１２０を使用姿勢（ａ）となすことができる。また、足載本体１２２の右側部から先端支持片１３４を係合解除して、足載本体１２２と支持体１２４をそれぞれ右側壁部８８に沿った垂下状態となすことができる。つまり、右側足載部１２０を不使用姿勢（ｂ）となすことができる。
【００３５】
このように構成した右側足載部１２０に右足ＦＲを載せたい場合には、右側足載部１２０を外側方へ張り出し状態となした使用姿勢（ａ）となすことで、使用姿勢（ａ）の右側足載部１２０の上に足を載せることができる。そして、右側足載部１２０に前方へ投げ出した右足ＦＲを載せることで、適宜、右側足載部１２０に右足ＦＲを強く突っ張ることも、また、長時間にわたって疲労の少ない楽な姿勢で操向操作具を操作することもできる。また、右側足載部１２０に右足ＦＲを載せる必要がない場合には、右側足載部１２０を使用姿勢（ａ）にする手順とは反対の手順をたどって、右側足載部１２０を折り畳み収納状態となした不使用姿勢（ｂ）となすことで、右側足載部１２０が不用意に他物と干渉するのを回避することができる。
【００３６】
（第２実施形態としての棒状足載部についての説明）
第２実施形態としての棒状足載部１４０は、図７に示すように、左右方向に延伸する丸棒状の本片１４２と、本片１４２の左右側端部に取り付けた板状の左・右側連結片１４４,１４６と、を具備している。棒状足載部１４０は、フロントコラム８５の左・右側壁部８７,８８間の上部、つまり、運転席９９の座面高さと同等の高さないしは座面高さの近傍に位置させて横架している。左側壁部８７の内側面には、左側連結片１４４の外側面を面接させて、固定ボルト１４８により固定している。一方、右側壁部８８の内側面には、右側連結片１４６の外側面を面接させて、固定ボルト１４８により固定している。
【００３７】
このように構成することで、フロントコラム８５の左・右側壁部８７,８８の上部間に横架された棒状足載部１４０に、適宜、前方へ投げ出したオペレータＯｐのいずれか一方ないしは両方の足ＦＬ,ＦＲを載せて、疲労の少ない楽な姿勢で各種レバーを操作することができる。そのため、長時間にわたる農作業であっても、疲労の少ない楽な操向操作姿勢を長時間にわたって保持させることができる。この際、機体が揺れた場合には、棒状足載部１４０に載せた足を強く突っ張ることで操作姿勢を保つことができるため、操作時の安全性を良好に確保することができる。
【００３８】
また、フロントコラム８５の左・右側壁部８７,８８間の上部に横架した棒状足載部１４０は、フロントコラム８５の補強部材としても機能させることができる。そのため、フロントコラム８５に作用する捻じれ等に対する剛性を確保することができる。
【００３９】
（第３実施形態としての膝規制型足載部についての説明）
第３実施形態としての膝規制型足載部１５０は、図８に示すように、フロントコラム８５の上部に配設した膝規制体１５２と、床部８３の前中央部に配設した足載台１５４と、を具備している。
【００４０】
膝規制体１５２は、背面視門型の取付フレーム１５６と、取付フレーム１５６の上半部に張設した横長四角形板状の膝受片１５８と、膝受片１５８の左右側端部に連設した板状の左・右支持片１６０,１６０と、左・右支持片１６０,１６０の下部間に横架した丸棒状の横架片１６４と、横架片１６４の左右側部と取付フレーム１５６の左右側部間に架設した側面視コ字状の左・右側規制片１６６,１６８と、を具備している。膝受片１５８は、前低後高の傾斜状に配置して、オペレータＯｐの両膝を前方から受けるようにしている。左・右側規制片１６６,１６８は、オペレータＯｐの両膝を外側方から規制するようにしている。
【００４１】
足載台１５４は、背面視Ｕ字状に形成した固定側台形成片１７０と、背面視門型に形成して、固定側台形成片１７０に上方から外嵌するとともに上下位置調整自在に取り付けた可動側台形成体１７２と、を具備している。固定側台形成片１７０は、四角形板状の固定片１７３と、固定片１７３の左右側縁部から直角状に立ち上げて形成した左・右側受片１７４,１７６と、により形成している。固定片１７３は、床部８３に固定用ボルト１７８により固定している。可動側台形成体１７２は、前高後低の傾斜状に形成した上面載置片１８０と、上面載置片１８０の左右側縁部から直角状に垂下した左・右側調整片１８２,１８４と、左・右側調整片１８２,１８４にそれぞれ形成した調整用長孔１８６と、調整用長孔１８６を介して左・右側受片１７４,１７６に左・右側調整片１８２,１８４を上下位置調整自在に連結する調整ボルト１８８と、により形成している。
【００４２】
このように構成した膝規制型足載部１５０では、足載台１５４の可動側台形成体１７２をオペレータＯｐの体格に合わせて上下位置調整し、オペレータＯｐが運転席９９に着座して、上下位置調整した足載台１５４の上面載置片１８０の上に両足ＦＬ,ＦＲを載せるとともに、膝規制体１５２の左・右側規制片１６６,１６８間に両膝を配置することができる。そして、機体が揺れた際には、上面載置片１８０の上で両足ＦＬ,ＦＲを突っ張るとともに、左・右側規制片１６６,１６８に両膝を押し付けるように、両膝を広げることで、運転姿勢を保つことができる。
【００４３】
［走行機体の具体的な説明］
機体フレーム１１の前端上部には、図１及び図１２に示すように、刈取入力軸６５の両端部を回転自在に横架している。刈取入力軸６５には、フィーダハウス２０を介して刈取部２全体を昇降動可能に支持している。７０はビータ軸であり、ビータ軸７０を介して刈取り穀稈投入用のビータ７１を軸支している。
【００４４】
ビータ７１は、図１に示すように、供給コンベア２５の送り終端側に設けて、ビータ７１によって脱穀部１２の扱口に投入される。脱穀部１２の扱室内には扱胴軸７５を介して扱胴７２を回転可能に軸支している。扱胴７２の下方側には、穀粒を漏下させる受網７３を張設している。なお、扱胴７２の前部の外周面には、螺旋状（スクリュー羽根状）の取込み羽根７４が半径方向外向きに突設されている。
【００４５】
選別部１３には、図１に示すように、受網７３の下方に配置された穀粒選別機構７７を配設しており、穀粒選別機構７７は、グレンパン及びチャフシーブ及びグレンシーブ及びストローラック等を有する比重選別用の揺動選別盤７８と、揺動選別盤７８に選別風を供給する唐箕ファン７６等を備えている。扱胴７２により脱穀されて受網７３から漏下した脱穀物は、揺動選別盤７８の比重選別作用と唐箕ファン７６の風選別作用とにより、穀粒（精粒等の一番物）と、穀粒と藁の混合物（枝梗付き穀粒等の二番物）と、藁屑等に選別されて取出されるように構成している。
【００４６】
揺動選別盤７８の下方には、穀粒選別機構７７としての一番コンベア機構７９及び二番コンベア機構８０を備えている。揺動選別盤７８及び唐箕ファン７６の選別によって、揺動選別盤７８から落下した穀粒（一番物）は、一番コンベア機構７９及び揚穀コンベア８１によって穀粒貯留部１６に貯留される。穀粒と藁の混合物（二番物）は、二番コンベア機構８０及び二番還元コンベア８２等を介して揺動選別盤７８の選別始端側に戻され、揺動選別盤７８によって再選別される。藁屑等は、走行機体１後部の排塵口部１４から圃場に排出されるようにしている。
【００４７】
走行部１０は、図１,図２に示すように、走行フレーム１９０の前後部に駆動輪１９２と従動輪１９４を取り付け、それらの動輪の回りに履帯１９６を巻回している。左右一対の走行部１０,１０の駆動輪１９２,１９２間には、走行駆動軸を介してミッションケースを介設し、ミッションケースには、走行油圧ポンプ及び油圧モータを有する走行変速用の油圧無段変速機（これらは図示せず）を設けている。
【符号の説明】
【００４８】
Ａ：コンバインＡ、Ｏｐ：オペレータ、Ｓ：足載せ空間、１５：運転部、８３：床部、８５：フロントコラム、９０：操作レバー、９７：主変速レバー、９８：副変速レバー、９９：運転席、１１０：左側足載部、１２０：右側足載部
【図１】
2017070220.tif 000003
【図２】
2017070220.tif 000004
【図３】
2017070220.tif 000005
【図４】
2017070220.tif 000006
【図５】
2017070220.tif 000007
【図６】
2017070220.tif 000008
【図７】
2017070220.tif 000009
【図８】
2017070220.tif 000010